(57)【要約】関心領域の抽出を適切に行うことによって、関心領域から適切な診断支援情報を提供することができる医療画像処理装置、内視鏡システム、診断支援装置、並びに医療業務支援装置を提供する。画像取得部は、観察対象を撮像して得られる医療画像を取得する。関心領域抽出部は、医療画像から関心領域として第１の関心領域を抽出する。関心領域変更部は、第１の関心領域を修正して第２の関心領域にする修正処理を行う。ユーザーインターフェースは、関心領域変更部への指示を受け付ける。修正処理には、前記第１の関心領域の拡大、縮小、又は位置変更が含まれる。
2019012911.tif 000002
【特許請求の範囲】
【請求項１】
観察対象を撮像して得られる医療画像を取得する画像取得部と、
前記医療画像から関心領域として第１の関心領域を抽出する関心領域抽出部と、
前記第１の関心領域を修正して第２の関心領域にする修正処理を行う関心領域変更部と、
ユーザーによる前記関心領域変更部への指示を受け付けるユーザーインターフェースとを備える医療画像処理装置。
【請求項２】
前記修正処理は、前記第１の関心領域の拡大、縮小、又は位置変更のうち、少なくとも一つを含む請求項１記載の医療画像処理装置。
【請求項３】
前記関心領域変更部は、前記第１の関心領域と異なる位置に第３の関心領域を追加する追加処理、又は、前記第１の関心領域を削除する削除処理を行う請求項１または２記載の医療画像処理装置。
【請求項４】
前記ユーザーインターフェースは、前記修正処理、前記追加処理、又は前記削除処理を行うための指示を受け付ける請求項３記載の医療画像処理装置。
【請求項５】
前記関心領域変更部は、前記関心領域を抽出するための関心領域抽出条件を変更することによって、前記修正処理を行う請求項１記載の医療画像処理装置。
【請求項６】
前記関心領域抽出部は、前記医療画像から第１特徴量を算出し、前記第１特徴量が、第１領域抽出用範囲に入っている領域を、前記関心領域として抽出し、
前記関心領域抽出条件は、前記第１領域抽出用範囲に関する条件である請求項５記載の医療画像処理装置。
【請求項７】
前記関心領域抽出部は、前記医療画像から第１特徴量及び第２特徴量を算出し、前記第１特徴量が、第１領域抽出用範囲に入っている領域、及び前記第２特徴量が、第２領域抽出用範囲に入っている領域に基づいて、前記関心領域の抽出を行い、
前記関心領域抽出条件は、前記第１領域抽出用範囲、及び前記第２領域抽出用範囲に関する条件である請求項５記載の医療画像処理装置。
【請求項８】
前記ユーザーインターフェースは、前記関心領域抽出条件を変更するための指示を受け付ける請求項５ないし７いずれか１項記載の医療画像処理装置。
【請求項９】
複数の特徴量の中から、前記関心領域の抽出に使用する特徴量を選択する特徴量選択処理を行う特徴量選択部を有し、
前記関心領域抽出部は、前記医療画像から前記特徴量選択部で選択された特徴量を算出し、算出した特徴量に基づいて前記関心領域の抽出を行う請求項５記載の医療画像処理装置。
【請求項１０】
前記ユーザーインターフェースは、前記特徴量選択処理に関する指示を受け付ける請求項９記載の医療画像処理装置。
【請求項１１】
前記医療画像には、互いに異なる第１の医療画像と第２の医療画像が含まれ、
前記関心領域変更部は、前記第１の医療画像から抽出した関心領域に対して前記修正処理を行い、
前記関心領域抽出部は、
前記修正処理に関する領域修正情報を用いて、前記第２の医療画像から関心領域を抽出する請求項１ないし１０いずれか１項記載の医療画像処理装置。
【請求項１２】
前記領域修正情報を記憶する領域修正情報記憶部を有する請求項１１記載の医療画像処理装置。
【請求項１３】
前記第１の関心領域又は前記第２の関心領域から診断支援情報を算出する診断支援情報算出部を有する請求項１ないし１２いずれか１項記載の医療画像処理装置。
【請求項１４】
前記医療画像は、白色帯域の光、又は前記白色帯域の光として複数の波長帯域の光を照射して得られた通常光画像である請求項１ないし１３いずれか１項記載の医療画像処理装置。
【請求項１５】
前記医療画像は、特定の波長帯域の光を照射して得た特殊光画像であり、
前記特定の波長帯域の光は白色帯域よりも狭い帯域である請求項１ないし１３いずれか１項記載の医療画像処理装置。
【請求項１６】
前記特定の波長帯域は可視域の青色もしくは緑色帯域に含まれる請求項１５記載の医療画像処理装置。
【請求項１７】
前記特定の波長帯域は３９０ｎｍ以上４５０ｎｍ以下、または５３０ｎｍ以上５５０ｎｍ以下の波長帯域を含み、かつ、前記特定の波長帯域の光は、３９０ｎｍ以上４５０ｎｍ以下、または５３０ｎｍ以上５５０ｎｍ以下の波長帯域内にピーク波長を有する請求項１６記載の医療画像処理装置。
【請求項１８】
前記特定の波長帯域は可視域の赤色帯域に含まれる請求項１５記載の医療画像処理装置。
【請求項１９】
前記特定の波長帯域は、５８５ｎｍ以上６１５ｎｍ以下、または６１０ｎｍ以上７３０ｎｍ以下の波長帯域を含み、かつ、前記特定の波長帯域の光は、５８５ｎｍ以上６１５ｎｍ以下、または６１０ｎｍ以上７３０ｎｍ以下の波長帯域内にピーク波長を有する請求項１８記載の医療画像処理装置。
【請求項２０】
前記特定の波長帯域は、酸化ヘモグロビンと還元ヘモグロビンとで吸収係数の異なる波長帯域を含み、かつ、前記特定の波長帯域の光は、酸化ヘモグロビンと還元ヘモグロビンとで吸収係数の異なる波長帯域にピーク波長を有する請求項１５記載の医療画像処理装置。
【請求項２１】
前記特定の波長帯域は、４００±１０ｎｍ、４４０±１０ｎｍ、４７０±１０ｎｍ、又は６００ｎｍ以上７５０ｎｍ以下の波長帯域を含み、かつ、前記特定の波長帯域の光は、４００±１０ｎｍ、４４０±１０ｎｍ、４７０±１０ｎｍ、又は６００ｎｍ以上７５０ｎｍ以下の波長帯域にピーク波長を有する請求項２０記載の医療画像処理装置。
【請求項２２】
前記医療画像は生体内を写した生体内画像であり、
前記生体内画像は、生体内の蛍光物質が発する蛍光の情報を有する請求項１５記載の医療画像処理装置。
【請求項２３】
前記蛍光は、ピーク波長が３９０以上４７０ｎｍ以下の波長待機に含まれる励起光を前記生体内に照射して得られる請求項２２記載の医療画像処理装置。
【請求項２４】
前記医療画像は生体内を写した生体内画像であり、
前記特定の波長帯域は赤外光の波長帯域である請求項１５記載の医療画像処理装置。
【請求項２５】
前記特定の波長帯域は、７９０ｎｍ以上８２０ｎｍ以下、又は９０５ｎｍ以上９７０ｎｍ以下の波長帯域を含み、かつ、前記特定の波長帯域の光は、７９０ｎｍ以上８２０ｎｍ以下、又は９０５ｎｍ以上９７０ｎｍ以下の波長帯域にピーク波長を有する請求項２４記載の医療画像処理装置。
【請求項２６】
前記画像取得部は、
白色帯域の光、又は前記白色帯域の光として複数の波長帯域の光を照射して得られた通常光画像に基づいて、特定の波長帯域の信号を有する特殊光画像を取得する特殊光画像取得部を有し、
前記医療画像は前記特殊光画像である請求項１ないし１３いずれか１項記載の医療画像処理装置。
【請求項２７】
前記特定の波長帯域の信号は、前記通常光画像に含まれるＲＧＢあるいはＣＭＹの色情報に基づく演算により得られる請求項２６記載の医療画像処理装置。
【請求項２８】
白色帯域の光、又は前記白色帯域の光として複数の波長帯域の光を照射して得られた通常光画像と、特定の波長帯域の光を照射して得られる特殊光画像との少なくとも一方に基づく演算によって、演算画像を生成する演算画像生成部を有し、
前記医療画像は前記演算画像である請求項１ないし１３いずれか１項記載の医療画像処理装置。
【請求項２９】
請求項１ないし２８いずれか１項記載の医療画像処理装置と、
白色の波長帯域の光、または、特定の波長帯域の光の少なくともいずれかを照射する内視鏡とを有する内視鏡システム。
【請求項３０】
請求項１ないし２８いずれか１項記載の医療画像処理装置を有する診断支援装置。
【請求項３１】
請求項１ないし２８いずれか１項記載の医療画像処理装置を有する医療業務支援装置。
【発明の詳細な説明】
【技術分野】
【０００１】
本発明は、医療画像から関心領域を抽出する医療画像処理装置、内視鏡システム、診断支援装置、並びに医療業務支援装置に関する。
【背景技術】
【０００２】
現在の医療分野においては、内視鏡システムに組み込まれる内視鏡用のプロセッサ装置などのように、医療画像を用いる医療画像処理装置が普及している。また、近年においては、医療画像から病変部の可能性のある関心領域を抽出し、抽出した関心領域に対して画像解析を行うことによって、病態に関する診断支援情報を取得することが行われている。取得した診断支援情報については、モニタなどの表示部に表示することによって、ユーザーに提供される。【０００３】
例えば、特許文献１では、医療画像から複数の関心領域を抽出し、抽出した複数の関心領域について、いくつかの属性に分類することを行っている。分類後の属性については、診断支援情報として、ユーザーに提供される。また、特許文献２では、医療画像から複数の関心領域を抽出し、各関心領域について、病変部の状態に応じた点数に基づく危険度を設定している。設定した危険度については、診断支援情報として、危険度毎に異なる色で表示することによって、ユーザーに提供される。
【先行技術文献】
【特許文献】
【０００４】
【特許文献１】国際公開番号ＷＯ２０１３／１４０６６７号
【特許文献２】特開２０１２−１５７３８４号公報
【発明の概要】
【発明が解決しようとする課題】
【０００５】
以上のように、最終的にユーザーに提供される診断支援情報については、医療画像から抽出する関心領域の抽出結果に大きく依存する。特に、内視鏡においては、管腔内を移動させながら観察対象の画像の取得を行っていることもあり、観察対象は固定されず、関心領域を狙った位置に正確に定めることができない場合がある。また、観察対象に付着した粘膜表面の付着物等が医療画像に写り込んでいる場合には、関心領域の抽出を正確に行うことができない場合がある。このように関心領域の抽出を適切に行うことができなかった場合には、結果的として、問題のある診断支援情報をユーザーに提供することになる。【０００６】
本発明は、関心領域の抽出を適切に行うことによって、関心領域から適切な診断支援情報を提供することができる医療画像処理装置、内視鏡システム、診断支援装置、並びに医療業務支援装置を提供することを目的とする。
【課題を解決するための手段】
【０００７】
本発明の医療画像処理装置は、観察対象を撮像して得られる医療画像を取得する画像取得部と、医療画像から関心領域として第１の関心領域を抽出する関心領域抽出部と、第１の関心領域を修正して第２の関心領域にする修正処理を行う関心領域変更部と、ユーザーによる関心領域変更部への指示を受け付けるユーザーインターフェースとを備える。【０００８】
修正処理は、第１の関心領域の拡大、縮小、又は位置変更のうち、少なくとも一つを含むことが好ましい。関心領域変更部は、第１の関心領域と異なる位置に第３の関心領域を追加する追加処理、又は、第１の関心領域を削除する削除処理を行うことが好ましい。ユーザーインターフェースは、修正処理、追加処理、又は削除処理を行うための指示を受け付けることが好ましい。【０００９】
関心領域抽出部は、医療画像から第１特徴量を算出し、第１特徴量が、第１領域抽出用範囲に入っている領域を、関心領域として抽出し、関心領域抽出条件は、第１領域抽出用範囲に関する条件であることが好ましい。関心領域抽出部は、医療画像から第１特徴量及び第２特徴量を算出し、第１特徴量が、第１領域抽出用範囲に入っている領域、及び第２特徴量が、第２領域抽出用範囲に入っている領域に基づいて、関心領域の抽出を行い、関心領域抽出条件は、第１領域抽出用範囲、及び第２領域抽出用範囲に関する条件であることが好ましい。ユーザーインターフェースは、関心領域抽出条件を変更するための指示を受け付けることが好ましい。【００１０】
複数の特徴量の中から、関心領域の抽出に使用する特徴量を選択する特徴量選択処理を行う特徴量選択部を有し、関心領域抽出部は、医療画像から特徴量選択部で選択された特徴量を算出し、算出した特徴量に基づいて関心領域の抽出を行うことが好ましい。ユーザーインターフェースは、特徴量選択処理に関する指示を受け付けることが好ましい。【００１１】
医療画像には、互いに異なる第１の医療画像と第２の医療画像が含まれ、関心領域変更部は、第１の医療画像から抽出した関心領域に対して修正処理を行い、関心領域抽出部は、修正処理に関する領域修正情報を用いて、第２の医療画像から関心領域を抽出することが好ましい。領域修正情報を記憶する領域修正情報記憶部を有することが好ましい。第１の関心領域又は第２の関心領域から診断支援情報を算出する診断支援情報算出部を有することが好ましい。
【発明の効果】
【００１２】
本発明によれば、関心領域の抽出を適切に行うことによって、関心領域から適切な診断支援情報を提供することができる。
【図面の簡単な説明】
【００１３】
【図１】内視鏡システムの外観図である。
【図２】内視鏡システムのブロック図である。
【図３】第１実施形態の画像処理部の機能を示すブロック図である。
【図４】第１実施形態における関心領域と診断支援情報を示す画像図である。
【図５】第１の関心領域ＲＯＩｘを拡大した第２の関心領域ＲＯＩｙを示す説明図である。
【図６】第１の関心領域ＲＯＩｘの位置変更を行った第２の関心領域ＲＯＩｙを示す説明図である。
【図７】新たに追加された第３の関心領域ＲＯＩｚを示す説明図である。
【図８】削除処理を示す説明図である。
【図９】修正処理の流れを示すフローチャートである。
【図１０】関心領域、診断支援情報、及び第１領域抽出用範囲を変更するためのスライダを示す画像図である。
【図１１】第２実施形態で行う修正処理を示す説明図である。
【図１２】第２実施形態において図１１と異なる修正処理を示す説明図である。
【図１３】第２実施形態の画像処理部の機能を示すブロック図である。
【図１４】第１の医療画像取得時に行った関心領域抽出条件の変更を、第２の医療画像の取得以降も適用することを示す説明図である。
【図１５】患者Ａの画像診断中に行った関心領域抽出条件の変更を、他の患者Ｂの画像診断にも適用することを示す説明図である。
【図１６】関心領域、診断支援情報、第１領域抽出用範囲及び第２領域抽出用範囲を変更するためのスライダを示す画像図である。
【図１７】第３実施形態の修正処理を示す説明図である。
【図１８】第３実施形態の画像処理部の機能を示すブロック図である。
【図１９】関心領域、診断支援情報、第１領域抽出用範囲及び第３の領域抽出用範囲を変更するためのスライダを示す画像図である。
【図２０】複数の関心領域とそれら関心領域から算出した診断支援情報を示す画像図である。
【発明を実施するための形態】
【００１４】
［第１実施形態］
図１に示すように、内視鏡システム１０は、内視鏡１２と、光源装置１４と、プロセッサ装置１６と、モニタ１８と、ユーザーインターフェース１９と、を備える。内視鏡１２は、観察対象である被写体に照明光を照射し、照明光で照射された被写体を撮像する。光源装置１４は、被写体に照射するための照明光を発生する。プロセッサ装置１６は、内視鏡システム１０のシステム制御及び画像処理等を行う。モニタ１８は、プロセッサ装置１６から出力された画像を表示する表示部である。ユーザーインターフェース１９は、プロセッサ装置１６等への設定入力等を行う入力デバイスであり、キーボードＫＢやマウスＭＳなどから構成される。
【００１５】
なお、ユーザーインターフェース１９は、マウスＭＳ、キーボードＫＢに限定されず、グラフィカルユーザーインターフェースや音声入力、タッチディスプレイなどであってもよい。また、本発明の医療画像処理装置は、プロセッサ装置１６内に設けられた画像取得部５４及び画像処理部６１（図２参照）と、ユーザーインターフェース１９とを含んでいる。
【００１６】
内視鏡１２は、被検体内に挿入する挿入部１２ａと、挿入部１２ａの基端部分に設けた操作部１２ｂと、挿入部１２ａの先端側に設けた湾曲部１２ｃと、先端部１２ｄと、を有している。操作部１２ｂのアングルノブ１２ｅを操作することにより、湾曲部１２ｃが湾曲する。湾曲部１２ｃが湾曲することにより、先端部１２ｄが所望の方向に向く。先端部１２ｄには、被写体に向けて空気や水等を噴射する噴射口（図示しない）が設けられている。
【００１７】
また、操作部１２ｂには、アングルノブ１２ｅの他、ズーム操作部１３が設けられている。ズーム操作部１３を操作することによって、被写体を拡大または縮小して撮像することができる。また、挿入部１２ａから先端部１２ｄにわたって、処置具などを挿通するための鉗子チャンネル（図示しない）が設けられている。処置具は、鉗子入口１２ｆから鉗子チャンネル内に挿入される。
【００１８】
図２に示すように、光源装置１４は、光源部２０と、光源制御部２２と、を備える。光源部２０は、被写体を照明するための照明光を発光する。光源部２０は、１又は複数の光源を備えている。光源制御部２２は、光源部２０の駆動を制御する。光源制御部２２は、光源部２０を構成する光源の点灯または消灯のタイミング、及び、点灯時の発光量等をそれぞれ独立に制御する。その結果、光源部２０は、発光量や発光タイミングが異なる複数種類の照明光を発光することができる。
【００１９】
光源部２０が発光した照明光は、ライトガイド４１に入射する。ライトガイド４１は、内視鏡１２及びユニバーサルコード（図示しない）内に内蔵されており、照明光を内視鏡１２の先端部１２ｄまで伝搬する。ユニバーサルコードは、内視鏡１２と光源装置１４及びプロセッサ装置１６とを接続するコードである。なお、ライトガイド４１としては、マルチモードファイバを使用できる。一例として、コア径１０５μｍ、クラッド径１２５μｍ、外皮となる保護層を含めた径がφ０．３〜０．５ｍｍの細径なファイバケーブルを使用できる。
【００２０】
内視鏡１２の先端部１２ｄには、照明光学系３０ａと撮像光学系３０ｂが設けられている。照明光学系３０ａは、照明レンズ４５を有しており、この照明レンズ４５を介して照明光が被写体に向けて出射する。撮像光学系３０ｂは、対物レンズ４６、ズームレンズ４７、及びイメージセンサ４８を有している。イメージセンサ４８は、対物レンズ４６及びズームレンズ４７を介して、被写体から戻る照明光の反射光等（反射光の他、散乱光、被写体が発する蛍光、または、被写体に投与等した薬剤に起因した蛍光等を含む）を用いて被写体を撮像する。ズームレンズ４７は、ズーム操作部１３の操作をすることで移動し、イメージセンサ４８を用いて撮像する被写体を拡大または縮小する。
【００２１】
イメージセンサ４８は、例えば原色系のカラーフィルタを有するカラーセンサであり、青色カラーフィルタを有するＢ画素（青色画素）、緑色カラーフィルタを有するＧ画素（緑色画素）、及び、赤色カラーフィルタを有するＲ画素（赤色画素）の３種類の画素を備える。青色カラーフィルタは、主として紫色から青色の光を透過する。緑色カラーフィルタは、主として緑色の光。赤色カラーフィルタは、主として赤色の光を透過する。上記のように原色系のイメージセンサ４８を用いて被写体を撮像すると、最大で、Ｂ画素から得るＢ画像（青色画像）、Ｇ画素から得るＧ画像（緑色画像）、及び、Ｒ画素から得るＲ画像（赤色画像）の３種類の画像を同時に得ることができる。
【００２２】
なお、イメージセンサ４８としては、ＣＣＤ（Charge Coupled Device）センサや、ＣＭＯＳ（Complementary Metal Oxide Semiconductor）センサを利用可能である。また、本実施形態のイメージセンサ４８は、原色系のカラーセンサであるが、補色系のカラーセンサを用いることもできる。補色系のカラーセンサは、例えば、シアンカラーフィルタが設けられたシアン画素、マゼンタカラーフィルタが設けられたマゼンタ画素、イエローカラーフィルタが設けられたイエロー画素、及び、グリーンカラーフィルタが設けられたグリーン画素を有する。補色系カラーセンサを用いる場合に上記各色の画素から得る画像は、補色−原色色変換をすれば、Ｂ画像、Ｇ画像、及びＲ画像に変換できる。また、カラーセンサの代わりに、カラーフィルタを設けていないモノクロセンサをイメージセンサ４８として使用できる。この場合、ＢＧＲ等各色の照明光を用いて被写体を順次撮像することにより、上記各色の画像を得ることができる。
【００２３】
プロセッサ装置１６は、中央制御部５２と、画像取得部５４と、画像処理部６１と、表示制御部６６とを有する。中央制御部５２は、照明光の照射タイミングと撮像のタイミングの同期制御等の内視鏡システム１０の統括的な制御を行う。また、ユーザーインターフェース１９等を用いて、各種設定の入力等をした場合には、中央制御部５２は、入力された各種設定を、光源制御部２２、イメージセンサ４８、または画像処理部６１等の内視鏡システム１０の各部に入力する。
【００２４】
画像取得部５４は、イメージセンサ４８から、被写体を撮像した画像を取得する。この画像取得部５４で取得する画像は、内視鏡１２のような医療用装置により得られた画像であることから、医療画像と称する。画像取得部５４は、ＤＳＰ（Digital Signal Processor）５６と、ノイズ低減部５８と、変換部５９と、を有し、これらを用いて、取得した医療画像に必要に応じて各種処理を施す。ＤＳＰ５６は、取得した医療画像に対し、必要に応じて欠陥補正処理、オフセット処理、ゲイン補正処理、リニアマトリクス処理、ガンマ変換処理、デモザイク処理、及びＹＣ変換処理等の各種処理を施す。
【００２５】
欠陥補正処理は、イメージセンサ４８の欠陥画素に対応する画素の画素値を補正する処理である。オフセット処理は、欠陥補正処理を施した画像から暗電流成分を低減し、正確な零レベルを設定する処理である。ゲイン補正処理は、オフセット処理をした画像にゲインを乗じることにより各画像の信号レベルを整える処理である。リニアマトリクス処理は、オフセット処理をした画像の色再現性を高める処理であり、ガンマ変換処理は、リニアマトリクス処理後の画像の明るさや彩度を整える処理である。
【００２６】
なお、イメージセンサ４８がカラーセンサである場合には、デモザイク処理が行われる。デモザイク処理（等方化処理や同時化処理とも言う）は、欠落した画素の画素値を補間する処理であり、ガンマ変換処理後の画像に対して施す。欠落した画素とは、カラーフィルタの配列に起因して（イメージセンサ４８において他の色の画素を配置しているため）、画素値がない画素である。例えば、Ｂ画像はＢ画素において被写体を撮像して得る画像なので、Ｇ画素やＲ画素に対応する位置の画素には画素値がない。デモザイク処理は、Ｂ画像を補間して、イメージセンサ４８のＧ画素及びＲ画素の位置にある画素の画素値を生成する。ＹＣ変換処理は、デモザイク処理後の画像を、輝度チャンネルＹと色差チャンネルＣｂ及び色差チャンネルＣｒに変換する処理である。
【００２７】
ノイズ低減部５８は、輝度チャンネルＹ、色差チャンネルＣｂ及び色差チャンネルＣｒに対して、例えば、移動平均法またはメディアンフィルタ法等を用いてノイズ低減処理を施す。変換部５９は、ノイズ低減処理後の輝度チャンネルＹ、色差チャンネルＣｂ及び色差チャンネルＣｒを再びＢＧＲの各色の画像に再変換する。
【００２８】
画像処理部６１は、画像取得部５４が取得した医療画像に対して各種の画像処理を施す。また、画像処理部６１は、医療画像から関心領域の抽出を行い、抽出した関心領域から観察対象の診断を支援するための診断支援情報を算出する。関心領域の抽出及び診断支援情報の算出については後述する。表示制御部６６は、画像処理部６１から送られる医療画像又は診断支援情報を用い、モニタ１８での表示に適した形式に変換してモニタ１８に出力する。これにより、モニタ１８には、医療画像と診断支援情報が少なくとも表示される。
【００２９】
図３に示すように、画像処理部６１は、不要領域除去部６８と、関心領域抽出部７０と、診断支援情報算出部７２と、関心領域変更部７４と、を備えている。不要領域除去部６８は、医療画像のうち、診断支援情報の正確な算出の妨げとなる暗過ぎる領域と明る過ぎる領域とを除去する除去処理を行う。この除去処理では、医療画像のうちＢ画像、Ｇ画像、Ｒ画像のそれぞれに対して、下限値と上限値を設定する。そして、下限値を下回る領域を暗すぎる領域として検出し、各画像から除去する。同様にして、上限値を超える領域を明る過ぎる領域として検出し、各画像から除去する。暗すぎる領域と明る過ぎる領域を除去した医療画像に対して、関心領域の抽出を行う。なお、暗すぎる領域と明る過ぎる領域の除去については、医療画像の状態によっては、行わなくてもよい。
【００３０】
関心領域抽出部７０は、医療画像から検査または診断の対象として注目すべき関心領域を検出する。関心領域抽出部７０では、医療画像から第１特徴量を算出する。そして、算出した第１特徴量が、第１領域抽出用範囲に入っている領域を関心領域として抽出する。第１領域抽出用範囲は、関心領域を抽出するために、予め設定された第１特徴量の数値範囲を表している。例えば、関心領域設定部では、第１特徴量として、Ｇ画像とＢ画像との比率を示すＢ／Ｇを対数化した「ln(G/B)」を算出し、「ln(G/B)」が第１領域抽出用範囲に入っている領域を関心領域として抽出する。この第１特徴量に基づいて抽出される関心領域には、主に、表層血管の領域が含まれる。なお、関心領域抽出部７０により抽出する関心領域は、観察対象の表面など２次元の領域に限られない。例えば、観察対象の表面に加えて、観察対象の深さ方向（浸潤）の３次元の領域を、関心領域として抽出するようにしてもよい。
【００３１】
ここで、第１特徴量としては、「ln(G/B)」の他に、後述する血管に関する血管指標値や、腺管構造に関する腺管指標値であってもよい。また、第１特徴量としては、例えば、医療画像に対してConvolutional Neural Networkを行うことの他、医療画像の色情報、画素値の勾配等で得られる特徴量を用いてもよい。なお、画素値の勾配等は、例えば、被写体の形状（粘膜の大局的な起伏または局所的な陥凹もしくは隆起等）、色（炎症、出血、発赤、または萎縮に起因した白化等の色）、組織の特徴（血管の太さ、深さ、密度、もしくはこれらの組み合わせ等）、または、構造の特徴（ピットパターン等）等によって、変化が表れる。
【００３２】
また、関心領域抽出部７０で抽出される関心領域は、例えば、がんに代表される病変部、良性腫瘍部、炎症部（いわゆる炎症の他、出血または萎縮等の変化がある部分を含む）、加熱による焼灼跡もしくは着色剤、蛍光薬剤等による着色によってマーキングしたマーキング部、または、生体検査（いわゆる生検）を実施した生検実施部を含む領域である。すなわち、病変を含む領域、病変の可能性がある領域、生検等の何らかの処置をした領域、クリップやかん子などの処置具、または、暗部領域（ヒダ（襞）の裏、管腔奥のため観察光が届きにくい領域）など病変の可能性にかかわらず詳細な観察が必要である領域等が関心領域になり得る。内視鏡システム１０においては、関心領域抽出部７０は、病変部、良性腫瘍部、炎症部、マーキング部、または、生検実施部のうち少なくともいずれかを含む領域を関心領域として検出する。
【００３３】
診断支援情報算出部７２は、関心領域抽出部７０で抽出された関心領域から各種指標値を算出し、算出した各種指標値に基づいて、病変部の診断を支援するための診断支援情報を算出する。各種指標値としては、血管密度や血管走行パターンなどの血管に関する血管指標値や、腺管構造に関する腺管指標値などが含まれる。診断支援情報としては、例えば、病変部の進行度（ステージ）などが挙げられる。算出された診断支援情報８０は、図４に示すように、関心領域ＲＯＩに対応づけられてモニタ１８に表示される（図４では「ステージ１」）。
【００３４】
関心領域変更部７４は、関心領域抽出部７０によって抽出する関心領域を、第１の関心領域から第２の関心領域に修正する修正処理を行う。第１の関心領域は修正処理前の関心領域であり、第２の関心領域は修正処理後の関心領域である。修正処理は、ユーザーインターフェース１９が、関心領域変更部７４への指示の一つである修正処理の指示を受け付けたことを契機に、行われる。第１実施形態では、ユーザーインターフェース１９として、マウスＭＳが用いられることが好ましい。修正処理には、第１の関心領域の拡大、縮小、又は位置変更が含まれる。修正処理後は、診断支援情報算出部７２が、第２の関心領域から各種指標値を再算出し、算出した各種指標値に基づいて、病変部の診断を支援するための診断支援情報を再算出する。なお、修正処理後は、修正処理に関する情報を領域修正情報として、後述する領域修正情報記憶部７６（図１３参照）に記憶させてもよい。
【００３５】
修正処理のうち拡大を行う場合には、図５に示すように、マウスＭＳを操作して、モニタ１８上に表示されたポインタ８２を、第１の関心領域ＲＯＩｘ（点線で表記）の境界部分に当てる。そして、第１の関心領域ＲＯＩｘの境界部分においてマウスＭＳを右クリックした状態で、ポインタ８２が第１の関心領域ＲＯＩｘを拡大する方向に動くように、マウスＭＳを操作する。これにより、第１の関心領域ＲＯＩｘを拡大した第２の関心領域ＲＯＩｙ（実線で表記）が得られる。そして、拡大後には、第２の関心領域ＲＯＩｙから診断支援情報８０が再算出され、再算出された診断支援情報８０は、第２の関心領域ＲＯＩｙと対応付けてモニタ１８に表示される（再算出後の診断支援情報は「ステージ２」）。一方、第１の関心領域ＲＯＩｘを縮小する場合には、第１の関心領域ＲＯＩｘの境界部分においてマウスＭＳを右クリックした状態で、ポインタ８２が第１の関心領域ＲＯＩｘを縮小する方向に動くように、マウスＭＳを操作する。
【００３６】
修正処理のうち位置変更を行う場合は、図６に示すように、マウスＭＳを操作して、ポインタ８２を第１の関心領域ＲＯＩｘ（点線で表記）の内部にセットする。そして、この第１の関心領域ＲＯＩｘの内部においてマウスＭＳを右クリックした状態で、ユーザーが位置変更したい領域に向かう方向にポインタ８２が動くように、マウスＭＳを操作する。これにより、第１の関心領域ＲＯＩｘの位置変更を行った第２の関心領域ＲＯＩｙ（実線で表記）が得られる。位置変更後には、第２の関心領域ＲＯＩｙから診断支援情報が再算出され、再算出された診断支援情報は、第２の関心領域ＲＯＩｙと対応付けてモニタ１８に表示される（再算出後の診断支援情報は「ステージ２」）。
【００３７】
また、関心領域変更部７４においては、関心領域抽出部７０によって抽出する関心領域として、第１の関心領域に加えて、第１の関心領域と異なる位置に第３の関心領域を追加する追加処理を行ってもよい。追加処理では、図７に示すように、新たに関心領域を設定したい領域にポインタ８２がセットされるように、マウスＭＳを操作する。ポインタ８２が関心領域を設定したい部分にセットされると、マウスＭＳを左クリックする。これにより、第１の関心領域ＲＯＩｘとは異なる位置に第３の関心領域ＲＯＩｚが追加される。追加する第３の関心領域ＲＯＩｚは、正方形領域とすることが好ましい。追加後には、第３の関心領域ＲＯＩｚから診断支援情報が再算出され、再算出された診断支援情報は、第３の関心領域ＲＯＩｚと対応付けてモニタ１８に表示される（第１の関心領域ＲＯＩｘの診断支援情報は「ステージ２」、第３の関心領域ＲＯＩｚの診断支援情報は「ステージ１」）。なお、追加された第３の関心領域ＲＯＩｚは、拡大、縮小、又は位置変更などの修正処理を行うこともできる。
【００３８】
また、関心領域変更部７４においては、関心領域抽出部７０によって抽出する関心領域として、第１の関心領域を削除する削除処理を行ってもよい。削除処理では、図８に示すように、マウスＭＳを操作して、ポインタ８２を第１の関心領域ＲＯＩｘの内部にセットする。そして、第１の関心領域ＲＯＩｘの内部においてマウスＭＳの右クリックを複数回（例えば２回）操作する。これにより、第１の関心領域ＲＯＩｘが削除される。合わせて、第１の関心領域ＲＯＩｘと対応付けて表示されていた診断支援情報も削除される（図８の点線は削除されたことを示している）。なお、後述の第４実施形態又は第５実施形態のように、複数の関心領域をモニタ１８に表示する場合には、複数の関心領域のうち不要な関心領域を削除処理によって削除するようにしてもよい。
【００３９】
次に、関心領域の修正処理について、図９に示すフローチャートに沿って説明を行う。まず、取得した医療画像から第１特徴量を算出して、算出した第１特徴量に基づいて関心領域の抽出を行う。そして、関心領域から診断支援情報の算出を行う。関心領域と診断支援情報については、モニタ１８に表示される。ユーザーは、モニタ１８に表示された関心領域と診断支援情報を確認して、算出された診断支援情報が妥当か否かを判断する。その結果、関心領域の抽出結果に問題がなく、診断支援情報が妥当であると判断した場合には、修正処理を行わない。
【００４０】
これに対して、関心領域の抽出結果に問題があり、診断支援情報が妥当でないと判断した場合には、関心領域の修正が必要であると判断して、修正処理を行う。修正処理は、関心領域として問題がある第１の関心領域を、マウスＭＳなどのユーザーインターフェース１９によって修正する。これにより、第１の関心領域が修正された第２の関心領域が得られる。修正処理後は、第２の関心領域から診断支援情報を再算出する。再算出された診断支援情報は、第２の関心領域とともにモニタ１８に表示される。この関心領域の修正と診断支援情報の再算出は、ユーザーが、関心領域の修正が必要無いと判断するまで、繰り返し行われる。
【００４１】
［第２実施形態］
第２実施形態では、関心領域を抽出するための関心領域抽出条件を変更することによって、第１の関心領域を第２の関心領域に修正する修正処理を行う。ここで、関心領域抽出条件は、第１実施形態で示した第１領域抽出用範囲に関する条件である。第２実施形態では、複数の関心領域抽出条件に変更できるように、複数の第１領域抽出用範囲が設けられている。複数の第１領域抽出用範囲として、５つの領域抽出用範囲Ｒ１１、Ｒ１２、Ｒ１３、Ｒ１４、Ｒ１５が設けられている。Ｒ１１が領域抽出用範囲としては一番狭く、Ｒ１２、Ｒ１３、Ｒ１４の順で、領域抽出用範囲が広くなっており、Ｒ１５が、一番領域抽出用範囲が広くなっている。なお、第２実施形態は、関心領域抽出条件の変更によって修正処理を行う以外は、第１実施形態と同様である。
【００４２】
図１０に示すように、複数の第１領域抽出用範囲Ｒ１１、Ｒ１２、Ｒ１３、Ｒ１４、Ｒ１５は、第１領域抽出用範囲を示すスライドバー８６の目盛りＲ１１、Ｒ１２、Ｒ１３、Ｒ１４、Ｒ１５にそれぞれ対応している。スライドバー８６上に設けられたスライダ８８は、現在設定されている第１領域抽出用範囲を示している。ここでは、領域抽出用範囲Ｒ１１に設定されている。これにより、第１特徴量が第１領域抽出用範囲Ｒ１１に入っている領域が関心領域ＲＯＩとして抽出され、関心領域ＲＯＩから診断支援情報８０が算出される（図１０では「ステージ１」）。
【００４３】
スライダ８８は、ユーザーインターフェース１９が、第１領域抽出用範囲を変更するための指示を受け付けたことを契機に、スライドバー８６上で移動させることが可能となっている。これにより、関心領域の抽出に使用する第１領域抽出用範囲を変更することができる。即ち、関心領域抽出条件を変更することができる。なお、後述するスライダ９２、９８についても、ユーザーインターフェース１９を操作により移動させることができる。
【００４４】
例えば、第１領域抽出用範囲の変更前に、スライダ８８が目盛りＲ１１にセットされている場合（点線で表記）には、第１特徴量が第１領域抽出用範囲Ｒ１１に入っている領域が第１の関心領域ＲＯＩｘとして抽出される。第１の関心領域抽出後は、第１の関心領域ＲＯＩｘから診断支援情報が算出されてモニタ１８に表示される。そして、図１１に示すように、スライダ８８を目盛りＲ１３にまで動かした場合（実線で表記）には、関心領域の抽出に使用する第１領域抽出用範囲が、第１領域抽出用範囲Ｒ１１よりも広い範囲を有する第１領域抽出用範囲Ｒ１３に変更される。これにより、第１特徴量が第１領域抽出用範囲Ｒ１３に入っている領域が第２の関心領域ＲＯＩｙとして抽出される。第２の関心領域抽出後は、第２の関心領域ＲＯＩｙから診断支援情報８０が算出されてモニタ１８に表示される（図１１では「ステージ２」）。
【００４５】
また、第１領域抽出用範囲の変更前に、スライダ８８が目盛りＲ１３にセットされている場合（点線で表記）には、第１特徴量が第１領域抽出用範囲Ｒ１３に入っている領域が第１の関心領域ＲＯＩｘとして抽出される。第１の関心領域抽出後は、第１の関心領域ＲＯＩｘから診断支援情報が算出されてモニタ１８に表示される。そして、図１２に示すように、スライダ８８を目盛りＲ１１にまで動かした場合（実線で表記）には、関心領域の抽出に使用する第１領域抽出用範囲が、第１領域抽出用範囲Ｒ１１よりも狭い範囲を有する第１領域抽出用範囲Ｒ１１に変更される。これにより、第１特徴量が第１領域抽出用範囲Ｒ１１に入っている領域が第２の関心領域ＲＯＩｙとして抽出される。第２の関心領域抽出後は、第２の関心領域ＲＯＩｙから診断支援情報８０が算出されてモニタ１８に表示される（図１２では「ステージ１」）。
【００４６】
第２実施形態では、関心領域抽出条件の変更によって関心領域を修正した履歴は、領域修正情報として、図１３に示す領域修正情報記憶部７６に記憶される。領域修正情報は、関心領域抽出条件変更後に取得した医療画像から関心領域を抽出する際に用いられる。図１４では、第１の医療画像において、関心領域抽出条件の変更により得られた領域修正情報を領域修正情報記憶部７６に記憶する。第２の医療画像は、第１の医療画像よりも後に取得した画像であり、領域修正情報記憶部７６に記憶した領域修正情報を用いて、関心領域の抽出を行う。なお、後述する第３実施形態においても、関心領域抽出条件の変更によって関心領域を修正した履歴を、領域修正情報として、領域修正情報記憶部７６に記憶するようにしてもよい。
【００４７】
例えば、領域修正情報が、第１領域抽出用範囲Ｒ１１から第１領域抽出用範囲Ｒ１３への変更履歴を有している場合には、第２の医療画像に対しては、第１領域抽出用範囲Ｒ１３を用いて関心領域の抽出を行う。以上のように、領域修正情報を用いることで、診断中にスライダ８８を操作するなど関心領域抽出条件の変更によるユーザーによる手間を省くことができる。なお、領域修正情報は、ユーザーインターフェース１９によってリセットして、デフォルトの第１領域抽出用範囲（例えば、第１領域抽出用範囲Ｒ１１）に戻すようにしてもよい。
【００４８】
また、領域修正情報は、別の患者を内視鏡１２により診断する際に、用いるようにしてもよい。図１５に示すように、患者Ａの画像診断中に得られた第１の医療画像から関心領域を抽出し、その関心領域に対して行った関心領域抽出条件の変更を、領域修正条件として領域修正情報記憶部７６に記憶しておく。そして、患者Ａとは異なる患者Ｂの画像診断中に得られた第２の医療画像に対しては、領域修正情報記憶部７６に記憶した領域修正情報を用いて、関心領域の抽出を行う。なお、領域修正情報は、別の病院やクリニックで内視鏡１２により画像診断を行う際に、用いるようにしてもよい。
【００４９】
［第３実施形態］
第３実施形態では、第２実施形態と同様に、関心領域を抽出するための関心領域抽出条件を変更することによって、第１の関心領域を第２の関心領域に修正する修正処理を行う。ただし、関心領域抽出条件は、第２実施形態と異なり、複数の特徴量を用いて、関心領域の抽出を行う。第３実施形態では、第１特徴量「ln(G/B)」の他に、第２特徴量「ln(R/G)」を用いる。第２特徴量「ln(R/G)」は、Ｒ画像とＧ画像の比Ｒ／Ｇを対数化したものである。第１特徴量と第２特徴量に基づいて抽出される関心領域の抽出には、主として、表層血管の領域と発赤の領域とが含まれる。これら２つの第１特徴量と第２特徴量を用いることに伴い、関心領域抽出条件として、第１実施形態で示した第１領域抽出用範囲に関する条件に、関心領域を抽出するために、予め設定された第２特徴量の数値範囲を示す第２領域抽出用範囲に関する条件が加えられる。なお、第３実施形態は、関心領域抽出条件の変更によって修正処理を行う以外は、第１実施形態と同様である。
【００５０】
また、複数の関心領域抽出条件に変更できるように、複数の第１領域抽出用範囲と複数の第２領域抽出用範囲とが設けられている。複数の第１領域抽出用範囲として、第２実施形態と同様に、５つの領域抽出用範囲Ｒ１１、Ｒ１２、Ｒ１３、Ｒ１４、Ｒ１５が設けられている。また、複数の第２領域抽出用範囲として、５つの領域抽出用範囲Ｒ２１、Ｒ２２、Ｒ２３、Ｒ２４、Ｒ２５が設けられている。Ｒ２１が領域抽出用範囲としては一番狭く、Ｒ２２、Ｒ２３、Ｒ２４の順で、領域抽出用範囲が広くなっており、Ｒ２５が、一番領域抽出用範囲が広くなっている。
【００５１】
図１６に示すように、第２実施形態と同様、複数の第１領域抽出用範囲Ｒ１１、Ｒ１２、Ｒ１３、Ｒ１４、Ｒ１５は、第１領域抽出用範囲を示すスライドバー８６の目盛りＲ１１、Ｒ１２、Ｒ１３、Ｒ１４、Ｒ１５にそれぞれ対応している。また、複数の第２領域抽出用範囲Ｒ２１、Ｒ２２、Ｒ２３、Ｒ２４、Ｒ２５は、第２領域抽出用範囲を示すスライドバー９０の目盛りＲ２１、Ｒ２２、Ｒ２３、Ｒ２４、Ｒ２５にそれぞれ対応している。スライドバー８６上に設けられたスライダ８８を動かすことによって、関心領域の抽出に使用する第１領域抽出用範囲を変更することができる。また、スライドバー９０上に設けられたスライダ９２を動かすことによって、関心領域の抽出に使用する第２領域抽出用範囲を変更することができる。
【００５２】
例えば、第１領域抽出用範囲及び第２領域抽出用範囲の変更前に、スライダ８８が目盛りＲ１１にセットされ、スライダ９２がＲ２１にセットされている場合には、第１特徴量が第１領域抽出用範囲Ｒ１１に入っている領域ＲＯＩｂｇと第２特徴量が第２領域抽出用範囲２１に入っている領域ＲＯＩｇｒとが重複する領域が、第１の関心領域ＲＯＩとして抽出される。第１の関心領域抽出後は、第１の関心領域ＲＯＩｘから診断支援情報８０が算出されてモニタ１８に表示される（図１６では「ステージ１」）。
【００５３】
そして、図１７に示すように、スライダ８８を目盛りＲ１３にまで動かした場合には、関心領域の抽出に使用する第１領域抽出用範囲が、第１領域抽出用範囲Ｒ１１よりも広い範囲を有する第１領域抽出用範囲Ｒ１３に変更される。また、スライダ９２を目盛りＲ２３まで動かした場合には、関心領域の抽出に使用する第２領域抽出用範囲が、第２領域抽出用範囲Ｒ２１よりも広い範囲を有する第２領域抽出用範囲Ｒ２３に変更される。これにより、第１特徴量が第１領域抽出用範囲Ｒ１３に入る領域ＲＯＩｂｇと、第２特徴量が第２領域抽出用範囲Ｒ２３に入る領域ＲＯＩｇｒとが重複する第２の関心領域ＲＯＩｙに変更される。第２の関心領域抽出後は、第２の関心領域ＲＯＩｙから診断支援情報が算出されてモニタ１８に表示される（図１７では「ステージ２」）。
【００５４】
なお、第３実施形態においては、第１特徴量又は第２特徴量以外の特徴量を用いて、関心領域の抽出を行うようにしてもよい。この場合、複数の特徴量の中から関心領域の抽出に使用する特徴量を選択する特徴量選択処理を行うようにしてもよい。この特徴量選択処理は、特徴量選択部９４によって行われる。この特徴量選択部９４は、ユーザーインターフェース１９が特徴量選択処理に関する指示を受け付けたこと契機に、特徴量選択処理を行う。
【００５５】
例えば、関心領域の抽出に用いる特徴量として、第１特徴量「ln(G/B)」、第２特徴量
「ln(R/G)」の他に、第３特徴量「ln（B/(R+G+B)）」が設けられている場合に、特徴量選択部９４によって、第１特徴量「ln(G/B)」及び第３特徴量「ln（B/(R+G+B)）」が選択された場合、図１９に示すように、モニタ１８には、第１特徴量「ln(G/B)」を示すスライドバー８６及びスライダ８８と、第３特徴量「ln（B/(R+G+B)）」を示すスライドバー９６及びスライダ９８とが表示される。関心領域を抽出するために、予め設定された第３特徴量の数値範囲を示す複数の第３領域抽出用範囲Ｒ３１、Ｒ３２、Ｒ３３、Ｒ３４、Ｒ３５は、それぞれスライドバー９６の目盛りＲ３１、Ｒ３２、Ｒ３３、Ｒ３４、Ｒ３５に対応している。これらスライダ８８とスライダ９８を動かすことによって、関心領域の抽出に使用する第１領域抽出用範囲と第３領域抽出用範囲を変更することができる。
【００５６】
［第４実施形態］
第４実施形態においては、第１〜第３実施形態のように、第１の関心領域を第２の関心領域に修正する修正処理を行わず、関心領域抽出条件を複数設け、それら複数の関心領域抽出条件に従って、複数の関心領域を抽出するようにする。第４実施形態では、関心領域抽出条件は、第１実施形態で示した第１領域抽出用範囲に関する条件であり、この第１領域抽出用範囲が複数設けられている。複数の第１領域抽出用範囲としては、第２実施形態と同様に、５つの領域抽出用範囲Ｒ１１、Ｒ１２、Ｒ１３、Ｒ１４、Ｒ１５が設けられている。なお、第４実施形態は、修正処理を行わず、複数の関心領域を抽出すること以外は、第１実施形態と同様である。また、領域抽出用範囲を５つとしたが、これ以下又は以上であってもよいが、１０つ程度であることが好ましい。
【００５７】
図２０に示すように、第１特徴量が第１領域抽出用範囲Ｒ１１に入っている領域はＲＯＩ１として抽出される。同様にして、第１特徴量が第１領域抽出用範囲Ｒ１２、Ｒ１３、Ｒ１４、Ｒ１５に入っている領域は、それぞれＲＯＩ２、ＲＯＩ３、ＲＯＩ４、ＲＯＩ５として抽出される。また、抽出した関心領域ＲＯＩ１〜ＲＯＩ５については、それぞれ診断支援情報が算出されてモニタ１８に表示される。図２０では、ＲＯＩ１の診断支援情報８０は「ステージ２」であり、ＲＯＩ２の診断支援情報８０は「ステージ２」であり、ＲＯＩ３の診断支援情報８０は「ステージ１」であり、ＲＯＩ４の診断支援情報８０は「ステージ１」であり、ＲＯＩ５の診断支援情報８０は「ステージ２」である。
【００５８】
なお、各関心領域ＲＯＩ１〜ＲＯＩ５については、互いに違いが分かるように明るさや色を変えることが好ましい。また、複数の関心領域ＲＯＩ１〜ＲＯＩ５のうち、ユーザーインターフェース１９を操作して、特定の関心領域を拡大表示するようにしてもよい。また、抽出した複数の関心領域ＲＯＩ１〜ＲＯＩ５は、それら関心領域から算出した診断支援情報とともに、医療画像上に合成して表示することが好ましい。合成する医療画像としては、後述する通常光画像や特殊光画像であることが好ましい。
【００５９】
また、複数の関心領域ＲＯＩ１〜ＲＯＩ５を抽出した医療画像とそれら関心領域から算出した診断支援情報とは、互いに対応付けてプロセッサ装置１６内の診断支援情報記憶部９５（図１８参照）に保存するようにすることが好ましい。このように医療画像と診断支援情報を対応付けて保存することに関しては、本実施形態のみならず、第１〜３実施形態又は第５実施形態においても行うようにしてもよい。医療画像と診断支援情報を対応付けて保存を行う際には、例えば、診断支援情報が数値データで表される場合には、画像ビューワーによって診断支援情報を読み出すことができるように、医療画像のヘッダに診断支援情報を添付するようにしてもよい。また、保存を行う際には、複数の関心領域ＲＯＩ１〜ＲＯＩ５から算出した診断支援情報の全てを保存する他、ユーザーが選択した診断支援情報のみ保存するようにしてもよい。このユーザーによる選択は、ユーザーインターフェース１９によって行われる。
【００６０】
［第５実施形態］
第５実施形態においては、第４実施形態と同様、第１の関心領域を第２の関心領域に修正する修正処理を行わず、関心領域抽出条件を複数設け、それら複数の関心領域抽出条件に従って、複数の関心領域を抽出するようにする。ただし、第５実施形態では、関心領域抽出条件は、第１実施形態で示した第１領域抽出用範囲に関する条件と、第３実施形態で示した第２領域抽出用範囲に関する条件である。この第１領域抽出用範囲が複数設けられ、第２領域抽出用範囲も複数設けられている。なお、第５実施形態は、修正処理を行わず、複数の関心領域を抽出すること以外は、第１実施形態と同様である。
【００６１】
複数の第１領域抽出用範囲としては、第２実施形態と同様に、５つの領域抽出用範囲Ｒ１１、Ｒ１２、Ｒ１３、Ｒ１４、Ｒ１５が設けられている。また、複数の第２領域抽出用範囲としては、第３実施形態と同様に、５つの領域抽出用範囲Ｒ２１、Ｒ２２、Ｒ２３、Ｒ２４、Ｒ２５が設けられている。なお、第１領域抽出用範囲を５つとしたが、これ以下又は以上であってもよいが、１０つ程度であることが好ましい。第２領域抽出用範囲についても同様である。
【００６２】
第１特徴量が第１領域抽出用範囲Ｒ１１に入っている領域と、第２特徴量が第２領域抽出用範囲Ｒ２１に入っている領域ＲＯＩとが重複する領域を、関心領域ＲＯＩ１として抽出される。同様にして、第１特徴量が第１領域抽出用範囲Ｒ１２に入っている領域と第２特徴量が第２領域抽出用範囲Ｒ２２に入っている領域とが重複する領域をＲＯＩ２とする。また、第１特徴量が第１領域抽出用範囲Ｒ１３に入っている領域と第２特徴量が第２領域抽出用範囲Ｒ２４に入っている領域とが重複する領域をＲＯＩ３とする。また、第１特徴量が第１領域抽出用範囲Ｒ１４に入っている領域と第２特徴量が第２領域抽出用範囲Ｒ２５に入っている領域とが重複する領域をＲＯＩ４とする。また、第１特徴量が第１領域抽出用範囲Ｒ１５に入っている領域と第２特徴量が第２領域抽出用範囲Ｒ２５に入っている領域とが重複する領域をＲＯＩ５とする。
【００６３】
以上のように抽出した関心領域ＲＯＩ１〜ＲＯＩ５については、それぞれ診断支援情報が算出されてモニタ１８に表示される（図２０参照）。なお、各関心領域ＲＯＩ１〜ＲＯＩ５については、それら関心領域ＲＯＩ１〜ＲＯＩ５の抽出のために重複させる２つの領域を、上記以外の領域としてもよい。
【００６４】
なお、第１〜第５実施形態において、図中では関心領域ＲＯＩの形状を四角（矩形）で表しているが、形状は四角（矩形）以外もあり得る。これは、第１〜第５実施形態では、特徴量に基づいて関心領域を抽出しているため、特徴量の分布状況に応じて、関心領域の形状が変わるからである。また、第２及び第３実施形態のように、修正処理によって、関心領域を抽出するための第１特徴量又は第２特徴量の数値範囲を変更する場合には、修正処理の前後で、関心領域の形状が変わる場合がある。
【００６５】
なお、第１〜第５実施形態において、診断支援情報算出部７２で算出する血管指標値としては、例えば、血管密度、血管太さ、血管の指標値としては、血管の本数、分岐数、分岐角度、分岐点間距離、交差数、太さの変化、間隔、粘膜を基準とした深さ、高低差、傾き、コントラスト、色、色の変化、蛇行度、血液濃度、酸素飽和度、動脈の割合、静脈の割合、投与した色素の濃度、走行パターン、及び血流量などがある。
【００６６】
血管密度は、画像において特定領域に含まれる血管が占める割合によって表される。血管の太さ（血管径）とは、血管と粘膜の境界線間の距離であり、例えば、抽出した血管のエッジから血管の中を通って血管の短手方向に沿って画素数を計数することにより計数する。したがって、血管の太さは画素数であるが、医療画像を撮影した際の撮影距離やズーム倍率等が既知の場合には、必要に応じて「μｍ」等の長さの単位に換算可能である。
【００６７】
血管の本数とは、医療画像全体または関心領域内で抽出した血管の数である。血管の本数は、例えば、抽出した血管の分岐点の個数（分岐数）や他の血管との交差点の個数（交差数）等を用いて算出する。血管の分岐角度は、２本の血管が分岐点においてなす角度である。分岐点間距離は、任意の分岐点とその隣の分岐点の直線距離、または、任意の分岐点とその隣の分岐点までの血管に沿った長さである。
【００６８】
血管の交差数とは、粘膜下の深さが異なる血管が医療画像上で交差する交差点の個数である。より具体的には、血管の交差数とは、相対的に粘膜下の浅い位置にある血管が、深い位置にある血管を横切る数である。
【００６９】
血管の太さの変化とは、血管の太さのばらつきに関する血管情報であり、口径不同度ともいう。血管の太さの変化は、例えば、血管径の変化率（拡張度ともいう）である。血管径の変化率は、血管の最も細い部分の太さ（最小径）と血管の最も太い部分の太さ（最大径）を用いて、「血管径の変化率（％）＝最小径／最大径×１００」で求める。
【００７０】
なお、過去の検査で観察対象を撮影して得た医療画像と、その後の新たな検査で同じ観察対象を撮影して得た医療画像と、を用いる場合、過去の検査で得た医療画像から抽出した血管の太さに対して、その後の新たな検査で得た医療画像から抽出した同じ血管の太さの時間的な変化を血管の太さの変化としてもよい。
【００７１】
また、血管の太さの変化として、細径部の割合、または太径部の割合を算出しても良い。細径部とは太さが閾値以下の部分であり、太径部とは太さが閾値よりも太い部分である。細径部の割合は、「細径部の割合（％）＝細径部の長さ／血管の長さ×１００」で求める。同様に、太径部の割合は、「太径部の割合（％）＝太径部の長さ／血管の長さ×１００」で求める。
【００７２】
血管の太さの変化の複雑度（以下、「太さ変化の複雑度」という）は、血管の太さ変化している場合に、その変化がどの程度複雑であるかを表す血管情報であり、血管の太さの変化を表す血管情報（すなわち血管径の変化率、細径部の割合、または太径部の割合）を複数組み合わせて算出する血管情報である。太さ変化の複雑度は、例えば、血管径の変化率と細径部の割合の積で求めることができる。
【００７３】
血管の長さとは、抽出した血管の長手方向に沿って計数した画素数である。
【００７４】
血管の間隔とは、抽出した血管のエッジ間にある粘膜を表す画素の画素数である。抽出した血管が１本の場合、血管の間隔は値を持たない。
【００７５】
血管の深さは、粘膜（より具体的には粘膜の表面）を基準として測る。この粘膜を基準とした血管の深さは、例えば、血管の色に基づいて算出することができる。特殊観察画像の場合、粘膜の表面に近い位置にある血管はマゼンタ系の色で表され、粘膜の表面から遠く、粘膜下の深い位置にある血管はシアン系の色で表されるので、血管として抽出した画素のＲ，Ｇ，Ｂ各色の信号のバランスに基づいて、粘膜を基準とした血管の深さを画素毎に算出する。
【００７６】
血管の高低差とは、血管の深さの差の大きさである。例えば、注目する１本の血管の高低差は、この血管の最も深い箇所の深さ（最大深さ）と、最も浅い箇所の深さ（最小深さ）の差で求める。深さが一定の場合、高低差は零である。
【００７７】
血管の傾きとは、血管の深さの変化率であり、血管の長さと血管の深さを用いて算出する。すなわち、血管の傾きは、「血管の傾き＝血管の深さ／血管の長さ」で求める。なお、血管を複数の区間に区切り、各区間で血管の傾きを算出してもよい。
【００７８】
血管の面積は、血管として抽出した画素の画素数、または、血管として抽出した画素の画素数に比例する値である。血管の面積は、関心領域内、関心領域外、または、医療画像全体について算出する。
【００７９】
血管のコントラストとは、観察対象の粘膜に対する相対的なコントラストである。血管のコントラストは、血管の輝度ＹVと、粘膜の輝度ＹMと、を用いて、例えば「ＹV／ＹM」または「（ＹV−ＹM）／（ＹV＋ＹM）」で算出する。
【００８０】
血管の色とは、血管を表す画素のＲＧＢの各値である。そして、血管の色の変化とは、血管を表す画素のＲＧＢ各値の各々の最大値と最小値の差または比である。例えば、血管を表すＢ画素の画素値の最大値と最小値の比、Ｇ画素の画素値の最大値と最小値の比、またはＲ画素の画素値の最大値と最小値の比は、血管の色の変化を表す。もちろん、補色に変換して、シアン、マゼンタ、イエロー、グリーン等の各値について血管の色及び血管の色の変化を算出しても良い。
【００８１】
血管の蛇行度とは、血管が蛇行して走行する範囲の広さを表す血管情報である。血管の蛇行度は、例えば、蛇行度を算出する血管を含む最小の長方形の面積（画素数）である。また、血管の始点と終点の直線距離に対する血管の長さの比を血管の蛇行度としても良い。
【００８２】
血管の血液濃度とは、血管が含むヘモグロビンの量に比例する血管情報である。血管を表すＲ画素の画素値に対するＧ画素の画素値の比（Ｇ／Ｒ）はヘモグロビンの量に比例するので、Ｇ／Ｒの値を算出することで、画素ごとに血液濃度を算出することができる。
【００８３】
血管の酸素飽和度とは、ヘモグロビンの総量（酸化ヘモグロビン及び還元ヘモグロビンの総量）に対する酸化ヘモグロビンの量である。酸素飽和度は、酸化ヘモグロビンと還元ヘモグロビンの吸光係数に違いが大きい特定の波長帯域の光（例えば、波長４７０±１０ｎｍ程度の青色光）で観察対象を撮影した医療画像を用いて算出することができる。波長４７０±１０ｎｍ程度の青色光を用いる場合、血管を表すＢ画素の画素値は酸素飽和度と相関があるので、Ｂ画素の画素値を酸素飽和度に対応付けるテーブル等を用いることで、血管を表す各画素の酸素飽和度を算出することができる。
【００８４】
動脈の割合とは、全血管の画素数に対する動脈の画素数の割合である。同様に、静脈の割合とは、全血管の画素数に対する静脈の画素数の割合である。動脈と静脈は、酸素飽和度によって区別することができる。例えば、酸素飽和度が７０％以上の血管を動脈とし、酸素飽和度が７０％未満の血管を静脈とすれば、抽出した血管を動脈と静脈に分けられるので、上記動脈の割合及び静脈の割合を算出するするこができる。
【００８５】
投与した色素の濃度とは、観察対象に対して散布した色素、または静脈注射により血管に注入した色素の濃度である。投与した色素の濃度は、例えば、色素色以外の画素の画素値に対する色素色の画素値の割合で算出する。例えば、青色に着色する色素を投与した場合は、Ｂ画像とＧ画像の比率Ｂ／Ｇや、Ｂ画像とＲ画像の比率Ｂ／Ｒ等が、観察対象に定着（あるいは一時的に付着）した色素の濃度を表す。
【００８６】
血管の走行パターンとは、血管の走行方向に関する血管情報である。血管の走行パターンは、例えば、任意に設定する基準線に対する血管の平均角度（走行方向）や、任意に設定する基準線に対して血管がなす角度の分散（走行方向のばらつき）等である。
【００８７】
血管の血流量（血流速度ともいう）は、単位時間あたりに赤血球が通り抜ける数である。超音波プローブを内視鏡１２の鉗子チャンネル等を介して併用する場合等に、医療画像の血管を表す各画素のドップラーシフト周波数を、超音波プローブで得る信号を用いて算出する、血管の血流量を求めるができる。
【００８８】
なお、第１〜第５実施形態では、プロセッサ装置１６内の画像取得部５４及び画像処理部６１とユーザーインターフェース１９を有し、医療画像の一つである内視鏡画像の処理を行う医療画像処理装置に対して、本発明の適用を行っているが、内視鏡画像以外の医療画像を処理する医療画像処理装置に対しても本発明の適用は可能である。また、医療画像を用いてユーザーに診断支援を行うための診断支援装置に対しても本発明の適用は可能である。また、医療画像を用いて、診断レポートなどの医療業務を支援するための医療業務支援装置に対しても本発明の適用は可能である。
【００８９】
なお、医療画像は、白色帯域の光、又は白色帯域の光として複数の波長帯域の光を照射して得られた通常光画像であることが好ましい。
【００９０】
医療画像は、特定の波長帯域の光を照射して得た特殊光画像であり、特定の波長帯域の光は白色帯域よりも狭い帯域であることが好ましい。特定の波長帯域は可視域の青色もしくは緑色帯域に含まれることが好ましい。特定の波長帯域は３９０ｎｍ以上４５０ｎｍ以下、または５３０ｎｍ以上５５０ｎｍ以下の波長帯域を含み、かつ、特定の波長帯域の光は、３９０ｎｍ以上４５０ｎｍ以下、または５３０ｎｍ以上５５０ｎｍ以下の波長帯域内にピーク波長を有することが好ましい。
【００９１】
特定の波長帯域は可視域の赤色帯域に含まれることが好ましい。特定の波長帯域は、５８５ｎｍ以上６１５ｎｍ以下、または６１０ｎｍ以上７３０ｎｍ以下の波長帯域を含み、かつ、特定の波長帯域の光は、５８５ｎｍ以上６１５ｎｍ以下、または６１０ｎｍ以上７３０ｎｍ以下の波長帯域内にピーク波長を有することが好ましい。
【００９２】
特定の波長帯域は、酸化ヘモグロビンと還元ヘモグロビンとで吸収係数の異なる波長帯域を含み、かつ、特定の波長帯域の光は、酸化ヘモグロビンと還元ヘモグロビンとで吸収係数の異なる波長帯域にピーク波長を有することが好ましい。特定の波長帯域は、４００±１０ｎｍ、４４０±１０ｎｍ、４７０±１０ｎｍ、又は６００ｎｍ以上７５０ｎｍ以下の波長帯域を含み、かつ、特定の波長帯域の光は、４００±１０ｎｍ、４４０±１０ｎｍ、４７０±１０ｎｍ、又は６００ｎｍ以上７５０ｎｍ以下の波長帯域にピーク波長を有することが好ましい。
【００９３】
医療画像は生体内を写した生体内画像であり、生体内画像は、生体内の蛍光物質が発する蛍光の情報を有することが好ましい。蛍光は、ピーク波長が３９０以上４７０ｎｍ以下の波長待機に含まれる励起光を生体内に照射して得られることが好ましい。
【００９４】
医療画像は生体内を写した生体内画像であり、特定の波長帯域は赤外光の波長帯域であることが好ましい。特定の波長帯域は、７９０ｎｍ以上８２０ｎｍ以下、又は９０５ｎｍ以上９７０ｎｍ以下の波長帯域を含み、かつ、特定の波長帯域の光は、７９０ｎｍ以上８２０ｎｍ以下、又は９０５ｎｍ以上９７０ｎｍ以下の波長帯域にピーク波長を有することが好ましい。
【００９５】
画像取得部は、白色帯域の光、又は白色帯域の光として複数の波長帯域の光を照射して得られた通常光画像に基づいて、特定の波長帯域の信号を有する特殊光画像を取得する特殊光画像取得部を有し、医療画像は特殊光画像であることが好ましい。
【００９６】
特定の波長帯域の信号は、通常光画像に含まれるＲＧＢあるいはＣＭＹの色情報に基づく演算により得られることが好ましい。
【００９７】
白色帯域の光、又は白色帯域の光として複数の波長帯域の光を照射して得られた通常光画像と、特定の波長帯域の光を照射して得られる特殊光画像との少なくとも一方に基づく演算によって、演算画像を生成する演算画像生成部を有し、医療画像は演算画像であることが好ましい。
【００９８】
上記実施形態において、画像処理部６１に含まれる不要領域除去部６８、関心領域抽出部７０、診断支援情報算出部７２、関心領域変更部７４、領域修正情報記憶部７６、特徴量選択部９４、又は診断支援情報記憶部９５といった各種の処理を実行する処理部（processing unit)のハードウェア的な構造は、次に示すような各種のプロセッサ（processor）である。各種のプロセッサには、ソフトウエア（プログラム）を実行して各種の処理部として機能する汎用的なプロセッサであるＣＰＵ（Central Processing Unit)、ＦＰＧＡ
(Field Programmable Gate Array) などの製造後に回路構成を変更可能なプロセッサであるプログラマブルロジックデバイス（Programmable Logic Device:ＰＬＤ）、各種の処理を実行するために専用に設計された回路構成を有するプロセッサである専用電気回路などが含まれる。
【００９９】
１つの処理部は、これら各種のプロセッサのうちの１つで構成されてもよいし、同種または異種の２つ以上のプロセッサの組み合せ（例えば、複数のＦＰＧＡや、ＣＰＵとＦＰＧＡの組み合わせ）で構成されてもよい。また、複数の処理部を１つのプロセッサで構成してもよい。複数の処理部を１つのプロセッサで構成する例としては、第１に、クライアントやサーバなどのコンピュータに代表されるように、１つ以上のＣＰＵとソフトウエアの組み合わせで１つのプロセッサを構成し、このプロセッサが複数の処理部として機能する形態がある。第２に、システムオンチップ（System On Chip:ＳｏＣ）などに代表されるように、複数の処理部を含むシステム全体の機能を１つのＩＣ（Integrated Circuit）チップで実現するプロセッサを使用する形態がある。このように、各種の処理部は、ハードウェア的な構造として、上記各種のプロセッサを１つ以上用いて構成される。
【０１００】
さらに、これらの各種のプロセッサのハードウェア的な構造は、より具体的には、半導体素子などの回路素子を組み合わせた形態の電気回路（circuitry）である。
【０１０１】
［付記項１］
観察対象を撮像して得られる医療画像として医療画像を取得する画像取得部と、
前記医療画像から関心領域の抽出を行う関心領域抽出部であり、互いに異なる複数の関心領域抽出条件に従って、前記医療画像から複数の関心領域を抽出する関心領域抽出部とを備える医療画像処理装置。
【０１０２】
［付記項２］
前記関心領域抽出部は、前記第１の医療画像から第１特徴量を算出し、前記第１特徴量に基づいて前記関心領域の抽出を行い、
前記複数の関心領域抽出条件は、前記第１領域抽出用範囲がそれぞれ異なっている付記項１記載の医療画像処理装置。
【０１０３】
［付記項３］
前記関心領域抽出部は、前記第１の医療画像から第１特徴量及び第２特徴量を算出し、前記第１特徴量及び第２特徴量に基づいて前記関心領域の抽出を行い、
前記複数の関心領域抽出条件は、前記第１領域抽出用範囲及び前記第２領域抽出用範囲が、それぞれ異なっている付記項１記載の医療画像処理装置。
【０１０４】
［付記項４］
前記複数の関心領域のそれぞれについて診断支援情報を算出する診断支援情報算出部を有する付記項１ないし３いずれか１項記載の医療画像処理装置。
【０１０５】
［付記項５］
前記関心領域と前記関心領域から算出した診断支援情報とを対応付けて保存する診断支援情報記憶部を有する付記項１ないし４いずれか１項記載の医療画像処理装置。
【符号の説明】
【０１０６】
１０  内視鏡システム
１２  内視鏡
１２ａ  挿入部
１２ｂ  操作部
１２ｃ  湾曲部
１２ｄ  先端部
１２ｅ  アングルノブ
１２ｆ  鉗子入口
１３  ズーム操作部
１４  光源装置
１６  プロセッサ装置
１８  モニタ
１９  ユーザーインターフェース
２０  光源部
２２  光源制御部
３０ａ  照明光学系
３０ｂ  撮像光学系
４１  ライトガイド
４５  照明レンズ
４６  対物レンズ
４７  ズームレンズ
４８  イメージセンサ
５２  中央制御部
５４  画像取得部
５６  ＤＳＰ（Ｄｉｇｉｔａｌ  Ｓｉｇｎａｌ  Ｐｒｏｃｅｓｓｏｒ）
５８  ノイズ低減部
５９  変換部
６１  画像処理部
６６  表示制御部
６８  不要領域除去部
７０  関心領域抽出部
７２  診断支援情報算出部
７４  関心領域変更部
７６  領域修正情報記憶部
８０  診断支援情報
８２  ポインタ
８６  スライドバー
８８  スライダ
９０  スライドバー
９２  スライダ
９４  特徴量選択部
９５  診断支援情報記憶部
９６  スライドバー
９８  スライダ
【図１】
2019012911.tif 000003
【図２】
2019012911.tif 000004
【図３】
2019012911.tif 000005
【図４】
2019012911.tif 000006
【図５】
2019012911.tif 000007
【図６】
2019012911.tif 000008
【図７】
2019012911.tif 000009
【図８】
2019012911.tif 000010
【図９】
2019012911.tif 000011
【図１０】
2019012911.tif 000012
【図１１】
2019012911.tif 000013
【図１２】
2019012911.tif 000014
【図１３】
2019012911.tif 000015
【図１４】
2019012911.tif 000016
【図１５】
2019012911.tif 000017
【図１６】
2019012911.tif 000018
【図１７】
2019012911.tif 000019
【図１８】
2019012911.tif 000020
【図１９】
2019012911.tif 000021
【図２０】
2019012911.tif 000022
【手続補正書】
【提出日】平成31年4月3日(2019.4.3)
【手続補正１】
【補正対象書類名】特許請求の範囲
【補正対象項目名】全文
【補正方法】変更
【補正の内容】
【特許請求の範囲】
【請求項１】
観察対象を撮像して得られる医療画像を取得する画像取得部と、
前記医療画像から関心領域として第１の関心領域を抽出する関心領域抽出部と、
前記第１の関心領域を修正して第２の関心領域にする修正処理を行う関心領域変更部と、
ユーザーによる前記関心領域変更部への指示を受け付けるユーザーインターフェースとを備え、
前記医療画像には、互いに異なる第１の医療画像と第２の医療画像が含まれ、
前記関心領域変更部は、前記第１の医療画像から抽出した関心領域に対して前記修正処理を行い、
前記関心領域抽出部は、
前記修正処理に関する領域修正情報を用いて、前記第２の医療画像から関心領域を抽出する医療画像処理装置。
【請求項２】
観察対象を撮像して得られる医療画像を取得する画像取得部と、
前記医療画像から関心領域として第１の関心領域を抽出する関心領域抽出部と、
前記第１の関心領域を修正して第２の関心領域にする修正処理を行う関心領域変更部と、
ユーザーによる前記関心領域変更部への指示を受け付けるユーザーインターフェースとを備え、
前記医療画像は、白色帯域の光、又は前記白色帯域の光として複数の波長帯域の光を照射して得られた通常光画像である医療画像処理装置。
【請求項３】
観察対象を撮像して得られる医療画像を取得する画像取得部と、
前記医療画像から関心領域として第１の関心領域を抽出する関心領域抽出部と、
前記第１の関心領域を修正して第２の関心領域にする修正処理を行う関心領域変更部と、
ユーザーによる前記関心領域変更部への指示を受け付けるユーザーインターフェースとを備え、
前記医療画像は、特定の波長帯域の光を照射して得た特殊光画像であり、
前記特定の波長帯域の光は白色帯域よりも狭い帯域である医療画像処理装置。
【請求項４】
前記修正処理は、前記第１の関心領域の拡大、縮小、又は位置変更のうち、少なくとも一つを含む請求項１ないし３いずれか１項記載の医療画像処理装置。
【請求項５】
前記関心領域変更部は、前記第１の関心領域と異なる位置に第３の関心領域を追加する追加処理、又は、前記第１の関心領域を削除する削除処理を行う請求項１ないし４いずれか１項記載の医療画像処理装置。
【請求項６】
前記ユーザーインターフェースは、前記修正処理、前記追加処理、又は前記削除処理を行うための指示を受け付ける請求項５記載の医療画像処理装置。
【請求項７】
前記関心領域変更部は、前記関心領域を抽出するための関心領域抽出条件を変更することによって、前記修正処理を行う請求項１記載の医療画像処理装置。
【請求項８】
前記関心領域抽出部は、前記医療画像から第１特徴量を算出し、前記第１特徴量が、第１領域抽出用範囲に入っている領域を、前記関心領域として抽出し、
前記関心領域抽出条件は、前記第１領域抽出用範囲に関する条件である請求項７記載の医療画像処理装置。
【請求項９】
前記関心領域抽出部は、前記医療画像から第１特徴量及び第２特徴量を算出し、前記第１特徴量が、第１領域抽出用範囲に入っている領域、及び前記第２特徴量が、第２領域抽出用範囲に入っている領域に基づいて、前記関心領域の抽出を行い、
前記関心領域抽出条件は、前記第１領域抽出用範囲、及び前記第２領域抽出用範囲に関する条件である請求項７記載の医療画像処理装置。
【請求項１０】
前記ユーザーインターフェースは、前記関心領域抽出条件を変更するための指示を受け付ける請求項７ないし９いずれか１項記載の医療画像処理装置。
【請求項１１】
複数の特徴量の中から、前記関心領域の抽出に使用する特徴量を選択する特徴量選択処理を行う特徴量選択部を有し、
前記関心領域抽出部は、前記医療画像から前記特徴量選択部で選択された特徴量を算出し、算出した特徴量に基づいて前記関心領域の抽出を行う請求項７記載の医療画像処理装置。
【請求項１２】
前記ユーザーインターフェースは、前記特徴量選択処理に関する指示を受け付ける請求項１１記載の医療画像処理装置。
【請求項１３】
前記医療画像には、互いに異なる第１の医療画像と第２の医療画像が含まれ、
前記関心領域変更部は、前記第１の医療画像から抽出した関心領域に対して前記修正処理を行い、
前記関心領域抽出部は、
前記修正処理に関する領域修正情報を用いて、前記第２の医療画像から関心領域を抽出する請求項１ないし１２いずれか１項記載の医療画像処理装置。
【請求項１４】
前記領域修正情報を記憶する領域修正情報記憶部を有する請求項１３記載の医療画像処理装置。
【請求項１５】
前記第１の関心領域又は前記第２の関心領域から診断支援情報を算出する診断支援情報算出部を有する請求項１ないし１４いずれか１項記載の医療画像処理装置。
【請求項１６】
前記医療画像は、白色帯域の光、又は前記白色帯域の光として複数の波長帯域の光を照射して得られた通常光画像である請求項１ないし１５いずれか１項記載の医療画像処理装置。
【請求項１７】
前記医療画像は、特定の波長帯域の光を照射して得た特殊光画像であり、
前記特定の波長帯域の光は白色帯域よりも狭い帯域である請求項１ないし１５いずれか１項記載の医療画像処理装置。
【請求項１８】
前記特定の波長帯域は可視域の青色もしくは緑色帯域に含まれる請求項１７記載の医療画像処理装置。
【請求項１９】
前記特定の波長帯域は３９０ｎｍ以上４５０ｎｍ以下、または５３０ｎｍ以上５５０ｎｍ以下の波長帯域を含み、かつ、前記特定の波長帯域の光は、３９０ｎｍ以上４５０ｎｍ以下、または５３０ｎｍ以上５５０ｎｍ以下の波長帯域内にピーク波長を有する請求項１８記載の医療画像処理装置。
【請求項２０】
前記特定の波長帯域は可視域の赤色帯域に含まれる請求項１７記載の医療画像処理装置。
【請求項２１】
前記特定の波長帯域は、５８５ｎｍ以上６１５ｎｍ以下、または６１０ｎｍ以上７３０ｎｍ以下の波長帯域を含み、かつ、前記特定の波長帯域の光は、５８５ｎｍ以上６１５ｎｍ以下、または６１０ｎｍ以上７３０ｎｍ以下の波長帯域内にピーク波長を有する請求項２０記載の医療画像処理装置。
【請求項２２】
前記特定の波長帯域は、酸化ヘモグロビンと還元ヘモグロビンとで吸収係数の異なる波長帯域を含み、かつ、前記特定の波長帯域の光は、酸化ヘモグロビンと還元ヘモグロビンとで吸収係数の異なる波長帯域にピーク波長を有する請求項１７記載の医療画像処理装置。
【請求項２３】
前記特定の波長帯域は、４００±１０ｎｍ、４４０±１０ｎｍ、４７０±１０ｎｍ、又は６００ｎｍ以上７５０ｎｍ以下の波長帯域を含み、かつ、前記特定の波長帯域の光は、４００±１０ｎｍ、４４０±１０ｎｍ、４７０±１０ｎｍ、又は６００ｎｍ以上７５０ｎｍ以下の波長帯域にピーク波長を有する請求項２２記載の医療画像処理装置。
【請求項２４】
前記医療画像は生体内を写した生体内画像であり、
前記生体内画像は、生体内の蛍光物質が発する蛍光の情報を有する請求項１７記載の医療画像処理装置。
【請求項２５】
前記蛍光は、ピーク波長が３９０以上４７０ｎｍ以下の波長待機に含まれる励起光を前記生体内に照射して得られる請求項２４記載の医療画像処理装置。
【請求項２６】
前記医療画像は生体内を写した生体内画像であり、
前記特定の波長帯域は赤外光の波長帯域である請求項１７記載の医療画像処理装置。
【請求項２７】
前記特定の波長帯域は、７９０ｎｍ以上８２０ｎｍ以下、又は９０５ｎｍ以上９７０ｎｍ以下の波長帯域を含み、かつ、前記特定の波長帯域の光は、７９０ｎｍ以上８２０ｎｍ以下、又は９０５ｎｍ以上９７０ｎｍ以下の波長帯域にピーク波長を有する請求項２６記載の医療画像処理装置。
【請求項２８】
前記画像取得部は、
白色帯域の光、又は前記白色帯域の光として複数の波長帯域の光を照射して得られた通常光画像に基づいて、特定の波長帯域の信号を有する特殊光画像を取得する特殊光画像取得部を有し、
前記医療画像は前記特殊光画像である請求項１ないし１５いずれか１項記載の医療画像処理装置。
【請求項２９】
前記特定の波長帯域の信号は、前記通常光画像に含まれるＲＧＢあるいはＣＭＹの色情報に基づく演算により得られる請求項２８記載の医療画像処理装置。
【請求項３０】
白色帯域の光、又は前記白色帯域の光として複数の波長帯域の光を照射して得られた通常光画像と、特定の波長帯域の光を照射して得られる特殊光画像との少なくとも一方に基づく演算によって、演算画像を生成する演算画像生成部を有し、
前記医療画像は前記演算画像である請求項１ないし１５いずれか１項記載の医療画像処理装置。
【請求項３１】
請求項１ないし３０いずれか１項記載の医療画像処理装置と、
白色の波長帯域の光、または、特定の波長帯域の光の少なくともいずれかを照射する内視鏡とを有する内視鏡システム。
【請求項３２】
請求項１ないし３０いずれか１項記載の医療画像処理装置を有する診断支援装置。
【請求項３３】
請求項１ないし３０いずれか１項記載の医療画像処理装置を有する医療業務支援装置。
【国際調査報告】
2019012911.tif 000023
2019012911.tif 000024